(57)【要約】【課題】フォルダーとして使用する場合のみならず、ブックスタンドとして利用する場合も極めて使い易く、しかも構造が簡単で、廉価品販売店でも販売可能な価格で提供することができるブックスタンド兼用書類フォルダーの提供を目的とする。【解決手段】蓋体２０は、収納箱体１０の開口縁に沿ってスライド自在に保持され、収納箱体１０施蓋時の蓋体２０内側面を外側に反転自在に設けられる。収納箱体１０内に立設する支持板３０で反転した蓋体２０を支持する。蓋体２０が前記支持板３０で支持されたときに、該蓋体２０下端部と前記収納箱体１０との間に支持スペースＳが設けられる。【選択図】図３
2005185723.tif 000002
【特許請求の範囲】
【請求項１】
書類を収納する収納箱体と、該収納箱体を施蓋する蓋体と、該蓋体をブックスタンドとして斜めに支持する支持板とからなるブックスタンド兼用書類フォルダーにおいて、蓋体は、収納箱体の開口縁に沿ってスライド自在に保持され、収納箱体施蓋時の蓋体内側面を外側に反転自在に設けられ、収納箱体内に立設する支持板で反転した蓋体を支持することを特徴とするブックスタンド兼用書類フォルダー。
【請求項２】
前記蓋体が前記支持板で支持されたときに、該蓋体下端部と前記収納箱体との間に支持スペースが設けられるようにした請求項１記載のブックスタンド兼用書類フォルダー。
【請求項３】
前記収納箱体の対向する側縁にスライド長孔を形成し、該スライド長孔に収納箱体の内側から係止する係止突起を前記蓋体に設けた請求項１又は２記載のブックスタンド兼用書類フォルダー。
【請求項４】
前記収納箱体の内側面に、前記スライド長孔に沿って突出する複数の支持突起を設け、収納箱体及び前記蓋体と別体に設けられた支持板を支持突起に係合するようにした請求項３記載のブックスタンド兼用書類フォルダー。
【発明の詳細な説明】
【技術分野】
【０００１】
本発明は、書類フォルダーの蓋体をブックスタンドして利用することができるブックスタンド兼用書類フォルダーに関する。
【背景技術】
【０００２】
ボックスタイプの書類フォルダーは、書類の入れ物として多くの人に使用されている。クリアボックスと称する書類フォルダーは、透明な合成樹脂材で形成されており、例えば１００円均一ショップなどの廉価品販売店でも販売されている商品である。このような書類フォルダーは、一般に書類を収納するのが目的であり、他の用途に使用されることは少ない。例えば、ブックスタンドは、主に読書家が購入することが多く、読書好きでない者は、あまり購入することはない。そこで、書類入れとして持ち歩いている書類フォルダーを、ブックスタンドとして利用可能にすると、本を読むことがあまり好みでない者でも、簡単に用いることができ、楽な姿勢で読むことができるようになる。
【０００３】
この種の書類フォルダーをブックスタンドして利用できるようにしたものが例えば特許文献１乃至特許文献３に記載されている。
【０００４】
特許文献１に記載されているフォルダーは、例えば子供が大きな本などを机やテーブルに置いて読むときに、姿勢が悪くならないように読むことができるようにした調節可能な書見台に転換可能なフォルダーである。このフォルダーは、倒立するカバーと、前記カバー及び箱の底面との間に連結される支柱とを有する角柱状箱を含む関節式組立て品から構成され、カバーに底面に対して望ましい傾きを与えるためカバー及び底面の少なくとも一つに隆起部が設けられ、前記カバーは書類を支持しカバーの端部において支持部で書類を保持するように構成している。
【０００５】
特許文献２に記載されているフォルダーは、被支持物を傾斜状に支持しながら、ＦＤとか事務用品などの物品を収納することができて、しかも、未使用時全体をコンパクトにでき、カバン等に入れて持運ぶ場合でも、その持運びを容易にできるようにしたフォルダーである。このフォルダーでは、一側に書物の係止部をもった上向き開放の箱形基台と、この基台の他側に枢着され、前記基台内を閉鎖する閉鎖位置と、前記基台に対し所定角度で起立する起立位置とにわたって揺動可能に支持した支え台とから成り、該支え台と前記基台との間に物品収納空間を形成している。
【０００６】
特許文献３には、従来のＣＲＴオペレーションガイドブック等の書籍類やパンフレット，カレンダー等の収容ケースを、読書や参照をする際に書見台代わりに出来るようにした収納ケースが記載されている。この収納ケースによると、書籍等を収容するために一端或は両端を開放した中箱体と、この中箱体が挿入される外箱体と、この外箱体の両端に形成された斜状開口部と、前記外箱体の表面に形成される突出片及び前記中箱体の一部を外箱体から突出させた場合に中箱体を支持する両側支持片を交互に残すようにして切り離す斜状切断部と、前記外箱体の背面に形成される接続部とを設けている。
【特許文献１】特表２００１−５２５２３７号公報
【特許文献２】特開平７−３１３２６１号公報
【特許文献３】実公平６−１２９４７号公報
【発明の開示】
【発明が解決しようとする課題】
【０００７】
特許文献１に記載されたフォルダーは、カバーと箱との間に連結される支柱をカバーの一部に設けているので、カバー自体の構造が複雑化するものであった。しかも、ブックスタンドとして利用するために、カバーの表面に本の下端部を支持する支持部が突設されている。したがって、この突起状の支持部がフォルダーとして使用する際の妨げになる不都合があった。
【０００８】
特許文献２に記載されたフォルダーは、箱形基台と蓋体として使用する支え台との間に、原稿台として使用するボードを支持するものなので、フォルダーの構成のみでブックスタンドとして使用できないものである。すなわち、ブックスタンドとして使用するボードは、特許文献２のフォルダーの構成に含まれておらず、このボードを係止する係止部を設けたものに過ぎない。したがって、特許文献２では、ブックスタンドとして使用する際に、別途、本支持用のボードを用意する必要があるなど、使用時に手間を要するものであった。
【０００９】
特許文献３に記載された収納ケースは、書籍等を収容する中箱体と、この中箱体が挿入される外箱体とを使用する二重箱構造になっている。そのため、この収納ケースに、ＣＲＴオペレーションガイドブック等の書籍類やパンフレット，カレンダー等の収容ケースを収納することは可能でも、書類フォルダーのように他の書類等を収納することができない構造である。したがって、特許文献３では、書類入れとして持ち歩いている書類フォルダーを、ブックスタンドとして利用可能にすることはできない。
【００１０】
そこで、本発明は上述の課題を解消すべく案出されたもので、フォルダーとして使用する場合のみならず、ブックスタンドとして利用する場合も極めて使い易く、しかも構造が簡単で、廉価品販売店でも販売可能な価格で提供することができるブックスタンド兼用書類フォルダーの提供を目的とするものである。
【課題を解決するための手段】
【００１１】
本発明の第１の手段は、書類を収納する収納箱体１０と、該収納箱体１０を施蓋する蓋体２０と、該蓋体２０をブックスタンドとして斜めに支持する支持板３０とからなるブックスタンド兼用書類フォルダーにおいて、蓋体２０は、収納箱体１０の開口縁に沿ってスライド自在に保持され、収納箱体１０施蓋時の蓋体２０内側面を外側に反転自在に設けられ、収納箱体１０内に立設する支持板３０で反転した蓋体２０を支持することにある。
【００１２】
第２の手段の前記蓋体２０は、前記支持板３０で支持されたときに、該蓋体２０下端部と前記収納箱体１０との間に支持スペースＳが設けられるようにしている。
【００１３】
第３の手段において、前記収納箱体１０の対向する側縁にスライド長孔１１を形成し、該スライド長孔１１に収納箱体１０の内側から係止する係止突起２１を前記蓋体２０に設けている。
【００１４】
第４の手段は、前記収納箱体１０の内側面に、前記スライド長孔１１に沿って突出する複数の支持突起１２を設け、収納箱体１０及び前記蓋体２０と別体に設けられた支持板３０を支持突起１２に係合するようにしたことを課題解消のための手段とする。
【発明の効果】
【００１５】
本発明の請求項１により、蓋体２０は、収納箱体１０の開口縁に沿ってスライド自在に保持され、収納箱体１０施蓋時の蓋体２０内側面を外側に反転自在に設けられ、収納箱体１０内に立設する支持板３０で反転した蓋体２０を支持するので、構造が簡単で、廉価品販売店でも販売可能な価格で提供することができる。また、書類フォルダーとして使用する場合は、通常の書類フォルダーと遜色のない使用が可能になり、極めて使い易い書類フォルダーとなる。
【００１６】
また、請求項２により、蓋体２０が支持板３０で支持されたときに、該蓋体２０下端部と収納箱体１０との間に支持スペースＳが設けられるようにしているから、蓋体２００反転させて支持板３０に支持するのみで、簡単にブックスタンドとして利用することができる。しかも、蓋体２０反転時において、自動的に支持スペースＳが形成されるから、ブックスタンドとして利用する場合も極めて使い易いものである。
【００１７】
更に、請求項３及び請求項４により、収納箱体１０のスライド長孔１１に内側から係止する係止突起２１を設けた蓋体２０の構造や、あるいは、収納箱体１０及び蓋体２０と別体に設けられた支持板３０を係合する支持突起１２を設けた収納箱体１０の構造によって、収納箱体１０及び蓋体２０の構造が極めて簡略化され、廉価品販売店でも販売可能な価格で提供することが可能である。
【００１８】
このように、本発明によると、フォルダーとして使用する場合のみならず、ブックスタンドとして利用する場合も極めて使い易く、しかも構造が簡単で、廉価品販売店でも販売可能な価格で提供することができるなどといった従来技術に記載されていない種々の効果を奏するものである。
【発明を実施するための最良の形態】
【００１９】
本発明によると、蓋体２０は、収納箱体１０の開口縁に沿ってスライド自在に保持され、収納箱体１０施蓋時の蓋体２０内側面を外側に反転自在に設けらる。そして、収納箱体１０内に立設する支持板３０で反転した蓋体２０を支持する。また、蓋体２０は、支持板３０で支持されたときに、該蓋体２０下端部と前記収納箱体１０との間に支持スペースＳが設けられるものである。更に、収納箱体１０の対向する側縁にスライド長孔１１を形成し、該スライド長孔１１に収納箱体１０の内側から係止する係止突起２１を前記蓋体２０に設ける。そして、収納箱体１０の内側面に、スライド長孔１１に沿って突出する複数の支持突起１２を設け、収納箱体１０及び前記蓋体２０と別体に設けられた支持板３０を支持突起１２に係合するようにしたことで当初の目的を達成する。
【実施例】
【００２０】
以下、図面を参照して本発明の一実施例を詳細に説明する。本発明の基本構成は、収納箱体１０、蓋体２０、支持板３０で構成される。これらの構成部材を、いずれも透明なプラスチックにて形成することで、所謂クリアーボックスと称する書類フォルダーが形成される。
【００２１】
収納箱体１０は、書類フォルダーとして使用する場合に書類を収納する（図１参照）。一方、ブックスタンドとして使用する場合は、収納箱体１０に支持板３０を立設し、この支持板３０で蓋体２０を支持するものである（図３参照）。収納箱体１０の対向する側縁に、スライド長孔１１を設けている。そして、このスライド長孔１１に、後述する蓋体２０をスライド自在に支持している（図２参照）。また、収納箱体１０の内側面に、スライド長孔１１に沿った複数の支持突起１２を突設し、この支持突起１２に支持板３０を係合し、該支持板３０で蓋体２０を斜めに支持するものである（図３参照）。
【００２２】
蓋体２０は、本発明を書類フォルダーとして使用する場合に前記収納箱体１０を施蓋する（図１参照）。その為、書類フォルダーとして一般に使用されている係止ロック（図示せず）を設け、施蓋時に収納箱体１０と蓋体２０とを固定する。この蓋体２０には、係止突起２１が設けられている。そして、収納箱体１０のスライド長孔１１に、この係止突起２１を収納箱体１０の内側から係止することで、収納箱体１０の開口縁に沿ってスライド自在に保持されると共に、反転自在に設けられている（図２参照）。蓋体２０を反転したときは、収納箱体１０施蓋時の蓋体２０の内側面が外側になる。本発明をブックスタンドとして使用する場合は、収納箱体１０のスライド長孔１１に沿って移動する（図２参照）。その後、蓋体２０を反転させ、収納箱体１０内に立設する支持板３０でこの反転した蓋体２０を支持するものである（図３参照）。
【００２３】
蓋体２０を支持板３０で支持したときに、該蓋体２０下端部と前記収納箱体１０との間に支持スペースＳが設けられる（図３参照）。図示の支持スペースＳは、収納箱体１０の側板１３と傾斜した蓋体２０の下端部とで形成されており、本や書類の下端部を係止するのに都合の良い支持スペースＳになっている。このとき、蓋体２０の盤面に書類を収納する略袋状の収納部（図示せず）をおくことで、ブックスタンドとして使用する場合に、この収納部を書類支持具として使用できる。更に、収納部を透明な材質で設けると、収納部を通して書類を読むことが可能になる。また、本発明を書類フォルダーとして使用する場合は、蓋体２０の内側に位置する収納部に書類等を収納するものである。
【００２４】
支持板３０は、ブックスタンドとして使用する場合にのみ使用するもので、収納箱体１０や蓋体２０とは別体に設けられている。したがって、書類フォルダーとして使用しているときの支持板３０は、収納箱体１０の底部に収納されている（図１参照）。一方、ブックスタンドとして使用する場合は、この支持板３０を収納箱体１０の底部から取り出し、収納箱体１０の内部に立設して反転させた蓋体２０を支持するものである（図３参照）。図示の支持板３０には、一対の係合突片３１が設けられており、収納箱体１０の支持突起１２に係合突片３１を係合する。また、支持板３０に、この支持板３０の一部を屈曲せしめる折目３２を設けている（図１参照）。そして、蓋体２０を支持する際は、この折目３２から屈曲した部分を蓋体２０の内側に当接せしめることで、安定した支持が可能になっている（図３参照）。
【００２５】
尚、本発明の実施例は図示例に限定されるものではなく、本発明の要旨を変更しない範囲での設計変更、材料の置換等は任意に行えるものである。
【図面の簡単な説明】
【００２６】
【図１】本発明を書類フォルダーとして使用する状態の一実施例を示す斜視図である。
【図２】本発明の蓋体を係止孔に沿って移動する状態を示す側断面図である。
【図３】本発明をブックスタンドとして使用する状態の一実施例を示す斜視図である。
【符号の説明】
【００２７】
Ｓ  支持スペース
１０  収納箱体
１１  スライド長孔
１２  支持突起
１３  側板
２０  蓋体
２１  係止突起
３０  支持板
３１  係合突片
３２  折目
【図１】
2005185723.tif 000003
【図２】
2005185723.tif 000004
【図３】
2005185723.tif 000005